(57)【特許請求の範囲】
【請求項１】
電池のリフレッシュ放電を行うリフレッシュ放電部と、電池を充電する充電部とを備える充電装置であって、
電池のリフレッシュ放電の必要の有無を判断する判断部を備え、
前記リフレッシュ放電部が、前記判断部がリフレッシュ放電を必要と判断した際に、充電開始以前にリフレッシュ放電を行い、
前記充電部が、電池のリフレッシュ放電が行われた際に、急速充電を行いリフレッシュ放電を行わない場合よりも短時間で充電を完了させることを特徴とする充電装置。
【請求項２】
電池のリフレッシュ放電を行うリフレッシュ放電部と、電池を充電する充電部とを備える充電装置であって、
電池のリフレッシュ放電の必要の有無を判断する判断部を備え、
前記リフレッシュ放電部が、前記判断部がリフレッシュ放電を必要と判断した際に、充電開始以前にリフレッシュ放電を行い、
前記充電部が、電池のリフレッシュ放電が行われた際に、急速充電を行いリフレッシュ放電を行わない場合よりも短時間で充電を完了させ、リフレッシュ放電時間と充電時間との合計を、リフレッシュ放電が行われない際の充電時間とほぼ同一にすることを特徴とする充電装置。
【請求項３】
前記判断部が、電池に備えられた記憶部の充電履歴に基づきリフレッシュ放電の必要の有無を判断することを特徴とする請求項１又は請求項２の充電装置。
【発明の詳細な説明】
【０００１】
【発明の属する技術分野】
本発明は、二次電池を充電する充電装置に関し、特に、リフレッシュ放電を行い得る充電装置に関するものである。
【０００２】
【従来の技術】
ニッケルカドミウム電池、ニッケル水素電池等の二次電池は、容量を十分に使い切らない状態で充放電を繰り返すと、メモリー効果により充電容量が低下する。このメモリー効果に対応するため、スイッチの操作により二次電池の容量を使い切らせるリフレッシュ回路を備える充電装置が提供されている。
【０００３】
更に、特開平６−２６９１３１号、特開平７−１４３６８０号では、リフレッシュ放電の必要性を判断し、充電前に自動的にリフレッシュ放電を行うことで、メモリー効果が発生しないようにする技術が開示されている。
【０００４】
【発明が解決しようとする課題】
しかしながら、充電前にリフレッシュ放電を自動的開始してしまうと、リフレッシュ放電を行わず充電する場合と、リフレッシュ放電を行ってから充電する場合とで、電池が使用可能になるまでの時間が大きく異なるため、工場など一定の時間間隔で電池を交換しながら作業を行うような場合に、電池の充電時間管理が煩雑となり、充電装置の使い勝手が悪くなるという課題が発生する。
【０００５】
本発明は、上述した課題を解決するためになされたものであり、その目的とするところは、リフレッシュ放電を行う際の使い勝手を改善できる充電装置を提供することにある。
【０００８】
【課題を解決するための手段】
請求項１は、電池のリフレッシュ放電を行うリフレッシュ放電部（２１）と、電池を充電する充電部（２２）とを備える充電装置であって、
電池のリフレッシュ放電の必要の有無を判断する判断部（Ｓ１４）を備え、
前記リフレッシュ放電部が、前記判断部がリフレッシュ放電を必要と判断した際に（Ｓ１４：Ｙｅｓ）、充電開始以前にリフレッシュ放電を行い（Ｓ１６）、  前記充電部が、電池のリフレッシュ放電が行われた際に、急速充電を行いリフレッシュ放電を行わない場合よりも短時間で充電を完了させる（Ｓ３８〜Ｓ５０）ことを技術的特徴とする。
【０００９】
請求項１では、電池のリフレッシュ放電の必要の有無を判断し、リフレッシュ放電が必要と判断した際に、充電開始以前にリフレッシュ放電を行う。そして、電池のリフレッシュ放電を行った際に、急速充電を行いリフレッシュ放電を行わない場合よりも短時間で充電を完了させる。このため、自動的にリフレッシュ放電が行われても、リフレッシュ放電及び充電に必要な時間が短縮されるので、リフレッシュ放電を行った際と、リフレッシュ放電を行わない場合とで、電池が再使用できるようになるまでの待機時間の差を小さくできる。
【００１０】
請求項２は、電池のリフレッシュ放電を行うリフレッシュ放電部（２１）と、電池を充電する充電部（２２）とを備える充電装置であって、
電池のリフレッシュ放電の必要の有無を判断する判断部を備え（Ｓ１４）、
前記リフレッシュ放電部が、前記判断部がリフレッシュ放電を必要と判断した際に（Ｓ１４：Ｙｅｓ）、充電開始以前にリフレッシュ放電を行い（Ｓ１６）、  前記充電部が、電池のリフレッシュ放電が行われた際に、急速充電を行いリフレッシュ放電を行わない場合よりも短時間で充電を完了させ、リフレッシュ放電時間と充電時間との合計を、リフレッシュ放電が行われない際の充電時間とほぼ同一にする（Ｓ３８〜Ｓ５０）ことを技術的特徴とする。
【００１１】
請求項２では、電池のリフレッシュ放電の必要の有無を判断し、リフレッシュ放電が必要と判断した際に、充電開始以前にリフレッシュ放電を行う。そして、電池のリフレッシュ放電を行った際に、急速充電を行いリフレッシュ放電を行わない場合よりも短時間で充電を完了させ、リフレッシュ放電時間と充電時間との合計を、リフレッシュ放電が行われない際の充電時間とほぼ同一にする。このため、自動的にリフレッシュ放電が行われても、また、リフレッシュ放電が行われなくとも、充電が完了して電池が再使用できるようになるまでの待機時間が同一なので、使用者は、リフレッシュ放電の有無を意識することなく電池を充電することができ、リフレッシュ放電を行う充電装置の使い勝手を改善できる。また、リフレッシュ放電を行わない場合には、リフレッシュ放電及び急速充電を行った際と同一の時間で充電を行うため、時間をかけて充電することができ、電池寿命を延ばすことが可能となる。
【００１２】
請求項３では、電池に備えられた記憶部の充電履歴に基づきリフレッシュ放電の必要の有無を判断するため、リフレッシュの必要性を正確に判断することが可能である。
【００１３】
【発明の実施の形態】
以下、本発明の実施形態に係る充電装置等について図を参照して説明する。
図１は、充電装置１０に電池パック５０が装填された状態を示すブロック図である。図２は該充電装置１０の外観を示す。図３は電池パック５０の外観を示し、図４は該電池パック５０により駆動される電池ドリル７０を示す。
【００１４】
まず、電池パック５０の構成を図３に基づいて説明する。電池パック５０は、略角柱状に形成された樹脂製のケーシング５１内に、図１に示すように複数電気的に直列に接続されたニッケル水素電池５８を内蔵するもので、電池５８の温度を検出するための温度センサＴＭと、該電池パックの形式及び充電履歴の情報を保持する記憶部を構成するＥＥＰＲＯＭ６１とを備える。温度センサＴＭは、温度によって電気抵抗値が変化するサーミスタからなる。
【００１５】
図３に示すように、電池パック５０のケーシング５１の上端側には、電池ドリル７０や充電装置１０に装着する際に相手側に嵌合可能な嵌合溝５３を形成した嵌入部５２がレール状に並列して設けられている他、嵌入部５２の一端側に位置する部位には上下方向に出入可能なフック５４が設けられている。このフック５４は、ケーシング５１の側面に設けられるレバー５５と一体に成形され、図示しないコイルばねにより突出方向に付勢されている。そのため、電池ドリル７０や充電装置１０に電池パック５０を装着したとき、これらに形成されている所定のフック溝に係合することができる。
【００１６】
これにより、電池ドリル７０や充電装置１０から電池パック５０が容易に外れないようにする役割を果たす。また、コイルばねの付勢力に抗してレバー５５をケーシング５１の下端方向に押し下げることによって、フック５４も引っ込むように下端方向に移動するので、フック溝との係合が解除され、電池ドリル７０や充電装置１０から電池パック５０を取り外すことが可能になる。
【００１７】
また、ケーシング５１の上端側には、嵌入部５２に挟まれるように位置するところに通気口５６、プラス端子溝５７、マイナス端子溝５９およびコネクタ６０が設けられている。通気口５６は、充電装置１０に電池パック５０を装着したとき、充電装置１０に設けられた送風口１６と連通可能な位置に形成されている。これにより、充電装置１０に内蔵された冷却ファン２３によって電池パック５０内に空気を送出し得るため、充電中の電池パック５０を冷却することができる。つまり、充電装置１０による空冷システムを構築している。
【００１８】
一方、プラス端子溝５７、マイナス端子溝５９の中には、図示しないプラス端子、マイナス端子がそれぞれ設けられており、電池ドリル７０や充電装置１０に電池パック５０を装着したときに、これらの端子が相手側の受電端子や出力端子と接触し得るように構成されている。そして、コネクタ６０の内部には、図１に示す温度センサＴＭ、ＥＥＰＲＯＭ６１を接続するための端子が備えられている。
【００１９】
上述のように構成された電池パック５０は、図４に示すように、電池ドリル７０に装着されて使用される。電池ドリル７０は、使用者が把持可能なグリップ部７４よりも下方に電池パック取付部７５が形成されている。そして、この電池パック取付部７５には、電池パック５０の嵌入部５２と係合可能な嵌合部と、電池パック５０のフック５４が係合可能な所定のフック溝とが形成されているので、かかる電池パック取付部７５に電池パック５０が脱着自在に取り付られる。
【００２０】
このようにして電池パック５０が装着された電池ドリル７０は、電池パック５０のプラス端子およびマイナス端子が電池ドリル７０側のそれぞれの受電端子に接続されるので、両端子から電力の供給を受けることができる。これにより、図示しないモータによってチャック７６を回動させることができる。
【００２１】
続いて、電池パック５０を充電する充電装置１０の構成を図１および図２に基づいて説明する。
図２に示すように、充電装置１０は樹脂製の筐体１１を有し、この筐体１１には、電池パック５０を装着可能な嵌合部１２や、内蔵した冷却ファンにより電池パック５０内へ送り込む空気を外部から吸気し得る吸気口１３等が一体に成形されている。また充電装置１０の筐体１１には、充電中の電池パック５０の容量を表示する容量表示ランプや、充電装置１０の動作状況を示す状態表示ランプ等、種々の図示しないインジケータが設けられており、これらは後述する制御回路によって点灯制御されている。
【００２２】
嵌合部１２には、電池パック５０の嵌合溝５３を案内可能なガイド１４および電池パック５０の通気口５６に連通可能な送風口１６が形成されており、さらにこの送風口１６には電池パック５０のフック５４が係合可能な所定のフック溝も設けられている。またこの嵌合部１２には、電池パック５０のプラス端子、マイナス端子に対応して電気的に接続可能な出力端子が設けられており、さらに電池パック５０のコネクタ６０に接続可能な図示しないコネクタが設けられている。これにより、充電装置１０内の制御回路は、電池パック５０から所定の温度情報等をこのコネクタを介して得ることができる。
【００２３】
図１に示すように、充電装置１０の制御回路は、主に、電源回路２２、充電電流制御部２４、制御部２６、電圧検出部２７、温度検出部２８、記憶部２９、ファン２３、放電負荷２１、充放電切替部２５等から構成される。
電源回路２２は、電池パック５０の電池５８を充電可能な容量を有するように設定されている。充放電切替部２５は、充電の際に、電源回路からの電圧を電池パック５０の電池５８へ印加し、また、リフレッシュ放電の際に、電池５８の電力を放電負荷２１側へ流す。温度検出部２８は、充電中の電池温度を温度センサＴＭにより検出可能に構成されており、電圧検出部２７は、電池電圧を検出できるように構成されている。一方、記憶部２９は所定のマップ等の電流値制御情報を記憶するものである。ファン２３は、図２に示す吸気口１３を介して外部から取り入れた空気を、送風口１６を経て電池パック５０の通気口５６（図３参照）へ送り、電池パック５０内の電池５８を強制空冷する。
【００２４】
制御部２６は、温度検出部２８から出力された温度値を微分して温度上昇値を求めたうえで記憶部２９の電流値制御情報に基づいて所定の電流値を算出し、この電流値を電流指令値として充電電流制御部２４へ出力し得るように構成されている。そして、充電電流制御部２４は、制御部２６からの電流指令値に基づき電源回路２２を制御し、電池パック５０の充電電流を調整するようにも構成されている。
【００２５】
引き続き、第１実施形態の充電装置の作動原理について説明する。
電池は、充電電流を大きくすれば、充電時間は短くなるが温度上昇は大きくなる。反対に、充電電流を小さくすれば、充電時間が長くなるものの温度上昇は小さくなる。特に、ニッケル水素電池は、充電電流や既に充電された容量により温度勾配（温度上昇値）が大きく変化する特性を有する。このため、本実施態様では、温度上昇を抑制するため電流値を変化させながら充電を行う。即ち、従来技術に係る充電装置では、一定の電流値で充電を行っていたのに対して、本実施態様の充電装置では、電池の状態を温度上昇値に基づき判別し、電池の温度上昇を一定にしつつ流し得る電流、即ち、電池の温度上昇に応じて電流値を変えながら充電を行う。
【００２６】
ここでは、温度上昇が高いときには、相対的に小さな充電電流を流し、反対に、温度上昇が低いときには、相対的に大きな充電電流を流す。
【００２７】
この第１実施形態の充電装置の動作原理について図５を参照して更に詳細に説明する。図５は、縦軸に電池温度上昇値を、横軸に充電時間を取ってあり、図中の曲線Ｌは、温度上昇値が一定になるように充電した際の、充電時間に対応する充電完了時の温度上昇値を示している。例えば、２０℃で開始した電池温度が４３℃（温度上昇値２３ｄｅｇ）に到達するように電流を制御した際に、充電時間が６０分であり、電池温度が６０℃（温度上昇値４０ｄｅｇ）に到達するように電流を制御した際に、充電時間が３０分であり、電池温度が７８℃（温度上昇値５８ｄｅｇ）に到達するように電流を制御した際に、充電時間が２０分であることを示している。
【００２８】
即ち、曲線Ｌに基づき、充電完了時間と充電完了時の電池温度上昇値とから、温度上昇値（勾配）を求めることができる。例えば、２３ｄｅｇの温度上昇で充電完了するためには、図中の０ｄｅｇと曲線Ｌ上の２３ｄｅｇとを結ぶ直線ａに示す温度勾配（温度上昇値）となるように充電すればよいことが分かる。この場合には、ほぼ正確に６０分で、温度４３℃（温度上昇値２３ｄｅｇ）になった時点で充電が完了する。
【００２９】
一方、外気温度及び電池温度１０℃の際に２３ｄｅｇの温度上昇で充電完了する場合も同様に、図中の０ｄｅｇと曲線Ｌ上の２３ｄｅｇとを結ぶ実線ａに示す温度勾配（温度上昇値）となるように充電すればよい。この場合にも正確に６０分で、温度３３℃（温度上昇値２３ｄｅｇ）にて充電が完了する。
【００３０】
また、外気温度及び電池温度３０℃の際に２３ｄｅｇの温度上昇で充電完了する場合も同様に、図中の０ｄｅｇと曲線Ｌ上の２３ｄｅｇとを結ぶ実線ａに示す温度勾配（温度上昇値）となるように充電すればよい。この場合にも正確に６０分で、温度５３℃（温度上昇値２３ｄｅｇ）にて充電が完了する。
【００３１】
第１実施形態の充電装置は、リフレッシュ放電を行わない際には、１時間の固定時間で充電を完了する。例えば、電池温度及び外気温度が２０℃の場合には、電池温度４３℃（温度上昇値２３ｄｅｇ）になるように充電を行う。
【００３２】
一方、リフレッシュ放電を行う際には、リフレッシュ放電及び充電の時間が合わせて１時間になるように、充電時間を調整する。例えば、リフレッシュ放電に３０分掛かった場合には、充電を３０分で完了させる。ここでは、３０分の充電時間から、図５中に示すように温度上昇値として４０ｄｅｇが決定され、図中の０ｄｅｇと曲線Ｌ上の４０ｄｅｇとを結ぶ実線ｂに示す温度勾配（温度上昇値）となるように充電が行われる。この場合には、ほぼ正確に３０分で、温度６０℃（温度上昇値４０ｄｅｇ）にて充電が完了する。このため、リフレッシュ放電を行ってから充電を行った場合も、電池パックの充電装置への装填から１時間で充電が完了する。
【００３３】
なお、ここで、電池温度と外気温度が異なる場合には、外気温度により図５中の曲線Ｌがシフトする。即ち、電池温度が１５℃で、外気温度が１０℃の場合には、曲線Ｌが５ｄｅｇ分下方へシフトする。反対に、電池温度が１０℃で、外気温度が１５℃の場合には、曲線Ｌが５ｄｅｇ分上方へシフトする。本実施形態では、電池温度と外気温度とが異なる場合には、差分だけシフトさせた曲線Ｌを用いて、上述したように充電時間から温度勾配を求める。
【００３４】
引き続き、第１実施形態の充電装置によるリフレッシュ放電及び充電について、当該処理を示す図６及び図７のフローチャートを参照して説明する。
まず、制御部３６は、電池パック５０のＥＥＰＲＯＭ６１に書き込まれた充電履歴を読み出し（Ｓ１２）、リフレッシュ放電が必要かを判断する（Ｓ１４）。本実施形態では、充電を５回繰り返す度に、１回リフレッシュ放電を行っており、前回のリフレッシュ放電から４回充電のみを行ったかを判断する。
【００３５】
ここで、リフレッシュ放電を行う必要がない場合には（Ｓ１４：Ｎｏ）、図７に示すＡ部へ移行して直ちに充電を開始する。他方、前回のリフレッシュ放電から、充電のみを４回繰り返しており、今回の充電の際にリフレッシュ放電を行う必要がある場合には（Ｓ１４：Ｙｅｓ）、充放電切替部２５（図１参照）を制御して電池５８の電力を放電負荷２１側へ印加させリフレッシュ放電を開始する（Ｓ１６）。そして、電池５８の電圧を電圧検出部２７を介して検出し、所定値以下まで下がったかにより、リフレッシュ放電が終了したかを判断する（Ｓ１８）。リフレッシュ放電が終了するまでは（Ｓ１８：Ｎｏ）、Ｓ１６へ戻り放電を続ける。そして、リフレッシュ放電が終了すると（Ｓ１８：Ｙｅｓ）、図７に示すＢ部へ移行し、充電を開始する。
【００３６】
図７を参照して充電処理について説明を続ける。ここでは、まず、リフレッシュ放電を行わなかった場合を説明する（Ｓ１４：Ｎｏ）。温度検出部３８を介して電池パック５０の温度を検出する（Ｓ３２）。ここでは、外気温度及び電池温度が２０℃であったものとする。リフレッシュ放電を行わないため、充電時間として１時間を設定し（Ｓ３４）、図５を参照して上述した曲線Ｌの値を保持している記憶部３９を検索することで、温度上昇値２３ｄｅｇを決定して、温度勾配を算出する（Ｓ４０）。ここでは、図５中に示す温度０ｄｅｇと曲線Ｌ上の２３ｄｅｇとを結ぶ直線ａの勾配を求める。
【００３７】
制御部３６は、温度検出部から入力した前回の温度値と今回入力した温度値との差分を微分して温度上昇値を求め（Ｓ４２）、この検出した温度上昇値を、上記Ｓ４０にて算出した勾配と比較することで電流値を確定する（Ｓ４４）。ここで、温度上昇値が勾配よりも低いときには、電流値を現在値よりも増大させ、反対に低い時には、電流値を減少させる。
【００３８】
次に、電流値が所定値以下かを判断する（Ｓ４６）。即ち、充電が完了すると、充電電流が急激に減少するため、電流値が所定値以下になると充電完了と判断する。充電電流が所定値以下になると（Ｓ４６：Ｙｅｓ）、充電履歴を電池パック５０のＥＥＰＲＯＭに書き込んだ後（Ｓ５２）、充電処理を完了する。他方、電流が所定値以上の際には（Ｓ４６：Ｎｏ）、電流値の調整で所定の温度勾配が維持できるを判断する（Ｓ４８）。ニッケル水素電池のおいては、充電満了時、現在の充電電流ではなく、過去の充電履歴により温度が急激に上昇するオーバーシュートと呼ばれる減少が生じることがあるので、オーバーシュートが発生していないかを判断する。ここで、オーバーシュートが発生している際には（Ｓ４８：Ｙｅｓ）、処置を完了する。一方、オーバーシュートが発生していない場合には（Ｓ４８：Ｎｏ）、Ｓ５０へ進み、上記Ｓ４４で確定した電流値にて電池を充電し、更に、充電処理を続ける。
【００３９】
引き続き、リフレッシュ放電を行った場合を説明する。リフレッシュ放電の終了後（Ｓ１８：Ｙｅｓ）、温度検出部３８を介して電池パック５０の温度を検出する（Ｓ３６）。ここでは、外気温度及び電池温度が２０℃であったものとする。リフレッシュ放電を行った場合には、リフレッシュ放電及び充電完了時間である１時間からリフレッシュ放電に要した時間を引いて、目標とする充電時間を算出する（Ｓ３８）。ここでは、リフレッシュ放電に３０分を要し、目標充電時間を３０分に設定したものとして説明を続ける。そして、図５を参照して上述した曲線Ｌの値を保持している記憶部３９を検索することで、３０分の充電時間に対応する温度上昇値４０ｄｅｇを決定して、温度勾配を算出する（Ｓ４０）。ここでは、図５中に示す温度０ｄｅｇと曲線Ｌ上の５０ｄｅｇとを結ぶ直線ｂの勾配を求める。以降、上述したＳ４２〜Ｓ５０の処理を行い、直線ｂの温度勾配となるように充電電流を制御することで、目標とする充電時間３０分で充電を完了する。
【００４０】
第１実施形態では、電池のリフレッシュ放電の必要の有無を判断し、リフレッシュ放電が必要と判断した際に、充電開始以前にリフレッシュ放電を行う。そして、電池のリフレッシュ放電を行った際に、急速充電を行いリフレッシュ放電を行わない場合よりも短時間で充電を完了させ、リフレッシュ放電時間と充電時間との合計を、リフレッシュ放電が行われない際の充電時間とほぼ同一にする。このため、自動的にリフレッシュ放電が行われても、また、リフレッシュ放電が行われなくとも、充電が完了して電池が再使用できるようになるまでの時間が同一なので、使用者は、リフレッシュ放電の有無を意識することなく電池を充電することができ、リフレッシュ放電を行う充電装置の使い勝手を改善できる。また、リフレッシュ放電を行わない場合には、リフレッシュ放電及び急速充電を行った際と同一の時間で充電を行うため、時間をかけて充電することができ、電池寿命を延ばすことが可能となる。
【００４１】
また、第１実施形態では、電池パック５０に備えられた記憶部（ＥＥＰＲＯＭ）６１の充電履歴に基づきリフレッシュ放電の必要の有無を判断するため、リフレッシュの必要性を正確に判断することが可能である。
【００４２】
第１実施形態の充電装置では、温度上昇値が算出した温度上昇勾配になるように電流値を調整しながら電池を充電する。このため、充電完了時の温度が到達目標温度値となるように充電することができ、温度上昇の著しいニッケル水素電池等を高温にならぬように短時間で充電することが可能になる。ここでは、温度上昇勾配を一定になるように制御したが、所定のパターン（例えば山なりのパターン）となるように充電電流を制御することで、更に充電時間を短縮させることも可能である。
【００４３】
上述した第１実施形態では、リフレッシュ放電を行わず充電を行った場合と、リフレッシュ放電を行った後に充電と行った場合とで、充電完了までの時間を正確に同一にしたが、ほぼ一定にすることでもリフレッシュ放電を行う充電装置の使い勝手を改善することが可能になる。この場合には、リフレッシュ放電を行わない場合には、１時間の通常充電、リフレッシュ放電を行った場合には、２０分の急速充電を行うように充電時間を固定することで、充電制御を簡易化することが可能になる。
【００４４】
更に、上述した実施形態では、リフレッシュ放電の終了後、直ちに充電を開始したが、リフレッシュ放電の完了後、電池の冷却時間を挟んでから充電を開始することも好適である。本実施形態では、温度により充電電流を制御するため、例えリフレッシュ放電で電池の温度が高くなっていても、目標とする時間で充電を完了させることができる。
【００４５】
また、上述した実施形態では、充電装置に放電部を内蔵させたが、この代わりに、充電装置と電池パックとの間にアダプタを介在させ、該アダプタに放電部を内蔵させるようにすることも可能である。
【図面の簡単な説明】
【図１】本発明の第１実施形態に係る充電装置の制御回路及び電池パックの構成を示すブロック図である。
【図２】充電装置の外観を示す斜視図である。
【図３】電池パックの外観を示す斜視図である。
【図４】図３に示す電池パックを用いる電池ドリルの側面図である。
【図５】第１実施形態に係る充電装置の充電原理を示す説明図である。
【図６】第１実施形態に係る充電装置の制御部による処理の流れを示すフローチャートである。
【図７】第１実施形態に係る充電装置の制御部による処理の流れを示すフローチャートである。
【符号の説明】
１０    充電装置
２１    放電負荷
２２    電源回路
２３    ファン
２５    充放電切替部
２６    制御部
２７    電圧検出部
２８    温度検出部
５０    電池パック
５８    電池
６１    ＥＥＰＲＯＭ
７０    電池ドリル
TM    温度センサ
【図１】
0003842076.tif 000002
【図２】
0003842076.tif 000003
【図３】
0003842076.tif 000004
【図４】
0003842076.tif 000005
【図５】
0003842076.tif 000006
【図６】
0003842076.tif 000007
【図７】
0003842076.tif 000008